(57)【要約】【課題】撮影手段の種類及び記録媒体の種類に基づいて画質を優先して書込可能な映像データ記録装置及び記録方法を提供する。【解決手段】接続されたデバイスの映像データを記録媒体に記録する映像データ記録装置において、前記撮影手段のフォルダの構造及びファイルの形式を判定する判定手段と、前記判定手段の判定結果に基づいて他の記録媒体への書き込み形式を選択する選択手段と、選択された状態で書き込み用のソフトウェアを起動する起動手段と、を備えた。【選択図】図１
2012075022.tif 000002
【特許請求の範囲】
【請求項１】
接続されたデバイスの映像データを記録媒体に記録する映像データ記録装置において、
前記撮影手段のフォルダの構造及びファイルの形式を判定する判定手段と、
前記判定手段の判定結果に基づいて記録媒体への書き込み形式を選択する選択手段と、
選択された状態で書き込み用のソフトウェアを起動する起動手段と、を備えたことを特徴とする映像データ記録装置。
【請求項２】
前記判定手段は、前記映像データがＳＤ画質か否かを判定するＳＤ画質判定手段と、
前記映像データがＳＤ画質でない場合にＨＤ画質か否かを判定するＨＤ画質判定手段と、
前記映像データがＨＤ画質の場合、書き込み用のソフトウェアの機能がＳＤ版か、ＡＶＣ版かブルーレイ版かを判定する機能判定手段と、
を備え、
前記起動手段は、前記映像データがＳＤ画質の場合、ＤＶＤ−Ｖｉｄｅｏ作成モードのソフトウェアを起動し、前記映像データがＨＤ画質であっても、ソフトウェアの機能がＳＤ版の場合、ＤＶＤ―Ｖｉｄｅｏ作成モードのソフトウェアを起動させ、ソフトウェアの機能がＡＶＣの場合、ＡＶＣＨＤ作成モードのソフトウェアを起動させ、ソフトウェアの機能がブルーレイディスクの場合、ブルーレイディスク作成モードのソフトウェアを起動させ、前記映像データが取り扱える形式のＳＤ画質でもＨＤ画質でもないと判定した場合、ソフトウェアを起動するためのメニュー画面のうちの該当する機能に遷移するボタンを非表示とすることを特徴とする請求項１記載の映像データ記録装置。
【請求項３】
接続されたデバイスの映像データを記録媒体に記録する映像データ記録方法において、
前記撮影手段のフォルダの構造及びファイルの形式を判定し、
前記判定手段の判定結果に基づいて記録媒体への書き込み形式を選択し、
選択された状態で書き込み用のソフトウェアを起動することを特徴とする映像データ記録方法。
【請求項４】
前記映像データがＳＤ画質か否かを判定し、
前記映像データがＳＤ画質でない場合にＨＤ画質か否かを判定し、
前記映像データがＨＤ画質の場合、書き込み用のソフトウェアの機能がＡＶＣかブルーレイかを判定する際に、
前記映像データがＳＤ画質の場合、ＤＶＤ−Ｖｉｄｅｏ作成モードのソフトウェアを起動し、前記映像データがＨＤ画質であって、ソフトウェアの機能がＡＶＣの場合、ＡＶＣＨＤ作成モードのソフトウェアを起動させ、ソフトウェアの機能がブルーレイディスクの場合、ブルーレイディスク作成モードのソフトウェアを起動させ、ソフトウェアの機能がＳＤ版であったり、前記映像データが取り扱える形式のＳＤ画質でもＨＤ画質でもないと判定した場合、ソフトウェアを起動するためのメニュー画面のうちの該当する機能に遷移するボタンを非表示とすることを特徴とする請求項３記載の映像データ記録方法。
【発明の詳細な説明】
【技術分野】
【０００１】
本発明は、デジタルビデオカメラで撮影された映像データを記録媒体に記録する映像データ記録装置及び記録方法に関する。
【背景技術】
【０００２】
デジタルビデオカメラで撮影した動画像の映像データをＨＤＤ(Hard Disk Drive)やＳＤ(Super Density)カードに複写したり移動したりすること（以下、記録と表記する。）が行われている。これはＰＣ(Personal Computer)やテレビジョン受像機で再生するためである。
【０００３】
関連する技術として特許文献１が挙げられる。
特許文献１に記載の発明は、「１回操作による複製・移動機能を有するカメラに対応するアプリケーションソフトウェア」に関するものであり、具体的には「第１の記録容量を有する第１の記録媒体を含み、前記第１の記録媒体に前記第１の記録容量と等しいか前記第１の記録容量よりも小さい第２の記録領域を前記第１の記録媒体に物理的あるいは仮想的に定義した状態で前記第２の記録領域に所定形式のデータ群を保持可能な情報記録装置と、前記第２の記録領域に保持されている前記所定形式のデータ群を保持可能な第２の記録媒体と、前記第２の記録媒体に保持された前記所定形式のデータ群を装置外部で取り扱うことのできる第３の記録媒体に転送可能なデータ記録装置と、を有し、前記第２の記録媒体に前記第１の記録媒体の前記第２の記録領域に格納されている前記所定形式のデータ群が前記第３の記録媒体に転送可能か否かを判断し、前記第３の記録媒体への転送が可能な場合に、前記第１の記録媒体の前記記録領域に保持されている前記所定形式のデータ群を、前記第２の記録領域に保持されているデータ群を単位として、前記第３の記録媒体への一回の操作による転送を可能とする管理装置と、を有する」ものである。
【先行技術文献】
【特許文献】
【０００４】
【特許文献１】特開２００６−３１１３８６号公報
【発明の概要】
【発明が解決しようとする課題】
【０００５】
しかしながら、特許文献１に記載の発明は、ユーザーにより予め設定された条件及びサイズに基づいてデータを転送するものの、記録領域のデータサイズがあるか否かしか考慮しておらず、映像データと記録媒体としての光ディスクとの相性は考慮されていなかった。
例えば、高画質規格のブルーレイディスク（登録商標）に標準画質規格であるＤＶＤ―Ｖｉｄｅｏ規格の映像データを書き込んだり、ＤＶＤにブルーレイディスク（登録商標）規格で書き込もうとすれば失敗したりするおそれがある。
【０００６】
そこで、本発明の目的は、撮影手段の種類及び記録媒体の種類に基づいて画質を優先して書込可能な映像データ記録装置及び記録方法を提供することにある。
【課題を解決するための手段】
【０００７】
上記課題を解決するため、請求項１記載の発明は、接続されたデバイスの映像データを記録媒体に記録する映像データ記録装置において、前記撮影手段のフォルダの構造及びファイルの形式を判定する判定手段と、前記判定手段の判定結果に基づいて記録媒体への書き込み形式を選択する選択手段と、選択された状態で書き込み用のソフトウェアを起動する起動手段と、を備えたことを特徴とする。
【０００８】
請求項２記載の発明は、請求項１記載の発明において、前記判定手段は、前記映像データがＳＤ画質か否かを判定するＳＤ画質判定手段と、前記映像データがＳＤ画質でない場合にＨＤ画質か否かを判定するＨＤ画質判定手段と、前記映像データがＨＤ画質の場合、書き込み用のソフトウェアの機能がＳＤ版か、ＡＶＣＨＤのみの作成かブルーレイディスクの作成までサポートするかを判定する機能判定手段と、を備え、前記起動手段は、前記映像データがＳＤ画質の場合、ＤＶＤ−Ｖｉｄｅｏ作成モードのソフトウェアを起動し、前記映像データがＨＤ画質であって、ソフトウェアの機能がＡＶＣＨＤのみの作成の場合、ＡＶＣＨＤ作成モードのソフトウェアを起動させ、ソフトウェアの機能がブルーレイディスクの場合、ブルーレイディスク作成モードのソフトウェアを起動させ、前記映像データが書き込み用の送付とウェアがサポートするＳＤ画質でもＨＤ画質でもないと判定した場合、ソフトウェアを起動するためのメニュー画面のうちの該当する機能に遷移するボタンを非表示とすることを特徴とする。
【０００９】
請求項３記載の発明は、接続されたデバイスの映像データを記録媒体に記録する映像データ記録方法において、前記撮影手段のフォルダの構造及びファイルの形式を判定し、前記判定手段の判定結果に基づいて記録媒体への書き込み形式を選択し、選択された状態で書き込み用のソフトウェアを起動することを特徴とする。
【００１０】
請求項４記載の発明は、請求項３記載の発明において、前記映像データがＳＤ画質か否かを判定し、前記映像データがＳＤ画質でない場合にＨＤ画質か否かを判定し、前記映像データがＨＤ画質の場合、書き込み用のソフトウェアの機能がＡＶＣＨＤまでの作成かブルーレイディスクの作成までサポートするかを判定する際に、前記映像データがＳＤ画質の場合、ＤＶＤ−Ｖｉｄｅｏ作成モードのソフトウェアを起動し、前記映像データがＨＤ画質であって、ソフトウェアの機能がＡＶＣの場合、ＡＶＣＨＤ作成モードのソフトウェアを起動させ、ソフトウェアの機能がブルーレイディスクの場合、ブルーレイディスク作成モードのソフトウェアを起動させ、前記映像データが書き込み用のソフトウェアがサポートするＳＤ画質でもＨＤ画質でもないと判定した場合、ソフトウェアを起動するためのメニュー画面のうちの該当する機能に遷移するボタンを非表示とすることを特徴とする。
【発明の効果】
【００１１】
本発明によれば、本発明の目的は、撮影手段の種類及び記録媒体の種類に基づいて画質を優先して書込可能な映像データ記録装置及び記録方法の提供を実現することができる。
【図面の簡単な説明】
【００１２】
【図１】本発明に係る映像データ記録方法を適用した映像データ記録装置の一実施の形態を示すブロック図である。
【図２】図１に示した映像データ記録装置の動作を説明するためのフローチャートの一例である。
【図３】図１に示した映像データ記録装置の起動時に表示部に表示されるムービーフォトメニュー画面の説明図である。
【図４】図３に示したメニュー画面のうちの「ビデオを直接ディスクに書き込む」のアイコンをクリックしたときに表示される画面の拡大図である。
【発明を実施するための形態】
【００１３】
本発明の実施の形態について図面を参照して説明する。
＜構  成＞
図１は、本発明に係る映像データ記録方法を適用した映像データ記録装置の一実施の形態を示すブロック図である。
同図に示す装置は、デバイス接続検出部１１、ビデオカメラ判定部１２，ソフトウェア機能判定部１３、制御部１４、表示部１５、エンコーダー・トランスコーダー１６、ビデオディスク書き込み部１７、光学ディスクドライブ１８、及び一時記憶部１９を有する。
【００１４】
デバイス１１は、撮影手段としてのビデオカメラや記憶媒体としてのメモリーカード（例えば、ＳＤカード、メモリースティック、マルチメディアカード（いずれも登録商標））が挙げられる。
【００１５】
ビデオカメラ判定部１２は、デバイスとしてのビデオカメラの種類を判定する機能を有する回路である。ビデオカメラの種類と、書き込み対象としての光学ディスクと書き込み用のソフトウェアがサポートする機能との関係を表１に示す。
【００１６】
【表１】
2012075022.tif 000003
【００１７】
表１において、ＭＰＥＧ２規格のビデオカメラ（表では撮影可能カメラ）としては、ＭＰＥＧ２ＨＤ画質形式（ＪＶＣ  Ｅｖｅｒｉｏ）、ＭＰＥＧ２ＨＤ画質形式ＨＤＶ形式、ＭＰＥＧ２  ＳＤ画質形成期（ＪＶＣ  Ｅｖｅｒｉｏ）が挙げられている。Ｈ．２６４規格のビデオカメラとしては、ＡＶＣＨＤ、ブルーレイディスク形式、ＡＶＣＨＤ  Ｌｉｔｅ形式が挙げられている。光学ディスクとしては、ＢＤＭＶ、ＡＶＣＨＤ、及びＤＶＤ―Ｖｉｄｅｏが挙げられている。書き込み用のソフトウェアがサポートする機能としては、ＤＶＤ―Ｖｉｄｅｏの作成のみをサポートしＭＰＥＧ２のエンコーダー・デコーダーを有するＳＤ版、さらに、Ｈ．２６４のエンコーダー・デコーダーを有しＡＶＣＨＤの作成までをサポートするＡＶＣ版、それに加え、ブルーレイディスクドライブを備え、ブルーレイディスクの作成までを作成するＢＤ版が挙げられている。
【００１８】
表中の丸印は組み合わせ可能（相性が良い場合）を示す。例えば、ＭＰＥＧ２ＨＤ画質形式（ＪＶＣＥｖｅｒｉｏ）のビデオカメラで撮影した映像データは、ＭＰＥＧ２の１９２０×１０８０  ６０ｉ、５０ｉ、２４ｐのＢＤＭＶだけに書き込み可能であることを示し、ＡＶＣＨＤ，ＢＤ形式のビデオカメラで撮影した映像データは、Ｈ．２６４規格の１９２０×１０８０  ６０ｉ，５０ｉ，２４ｐのＢＤＭＶだけでなくＡＶＣＨＤに書き込み可能であることを示している。
【００１９】
表２は、図１に示した映像データ記録装置で書き込み可能な光学ディスクと撮影手段との関係を示す表である。
【００２０】
【表２】
2012075022.tif 000004
【００２１】
表２において、左項目に撮影手段としてのＡＶＣＨＤ／ＡＶＣＨＤ  ＬｉｔｅのＨＤＤ／メモリーカード、ＭＰＥＧ２‐ＰＳ  ＳＤのＨＤＤ／メモリーカード、Ｅｖｅｒｉｏ（ＭＰＥＧ２‐ＴＳ  ＭＤ）のＨＤＤ／メモリーカード、Ｅｖｅｒｉｏ（ＭＰＥＧ２‐ＴＳ  ＳＤ）のＨＤＤ／メモリーカード、ＤＶカムコーダーのＤＶテープ、ＨＤＶカムコーダーのＤＶテープ、ＤＶＤカムコーダー（ＤＶＤ‐Ｖｉｄｅｏ／‐ＶＲ／ＡＶＣＨＤ）のＤＶＤ、Ｂｌｕ‐ｒａｙ  Ｄｉｓｃカムコーダー（ＢＤＭＶ／ＢＤＡＶ）のＢｌｕ‐ｒａｙ、及び上記いずれかを複合したＨＤＤ／メモリーカードが挙げられている。
【００２２】
ソフトウェア機能判定部１３は、ソフトウェアの機能を判定する回路である。
【００２３】
制御部１４は、映像データ記録装置１０を統括制御する機能を有する回路であり、例えば、マイクロプロセッサが挙げられる。
【００２４】
表示部１５は、操作内容や動画像を表示する装置であり、例えば液晶ディスプレイ（プラズマディスプレイ）が挙げられる。
【００２５】
エンコーダー・トランスコーダー１６は、映像データをエンコードもしくはトランスコードする回路である。
【００２６】
ビデオディスク書き込み部１７は、光学ディスクに書き込むデータを作成する機能を有する回路である。
【００２７】
光学ディスクドライブ１８は、光学ディスクに映像データを書き込む機能を有する回路である。
【００２８】
一時記憶部１９は、映像データを一時的に記憶する回路であり、例えばＲＡＭ(Random Access Memory)が挙げられる。
【００２９】
＜動  作＞
図１に示した映像データ記録装置の動作について説明する。
図２は、図１に示した映像データ記録装置の動作を説明するためのフローチャートの一例である。
動作の主体は、制御部１４である。判定手段、選択手段、起動手段、ＳＤ画質判定手段、ＨＤ画質判定手段、及び機能判定手段は、制御部に設けられた図示しないＲＯＭ(Read Only Memory)に記憶された制御プログラムのソフトウェアで構成されるものである。
【００３０】
まず、制御部１４の判定手段は、ビデオカメラもしくはメモリーカードの検出を行い（ステップＳ１）、ビデオカメラもしくはメモリーカードが検出されない場合は待機し（ステップＳ１／Ｎｏ）、ビデオカメラもしくはメモリーカードが検出された場合はビデオカメラの種類がＭＰＥＧ２  ＳＤ画質形式か否かを判定する（ステップＳ２）。
制御部１４のＳＤ画質判定手段は、ビデオカメラの種類がＭＰＥＧ２  ＳＤ画質形式であると判定した場合（ステップＳ２／Ｙｅｓ）、ＤＶＤ‐Ｖｉｄｅｏ作成モードでソフトウェアを起動する（ステップＳ８）。
【００３１】
制御部１４のＳＤ画質判定手段は、ビデオカメラの種類がＭＰＥＧ２  ＳＤ画質形式でないと判定した場合（ステップＳ２／Ｎｏ）、ビデオカメラの種類がＭＰＥＧ２  ＨＤ画質形式かを判定する（ステップＳ３）。
【００３２】
制御部１４のＨＤ画質判定手段は、ビデオカメラの種類がＭＰＥＧ２  ＨＤ画質形式と判定した場合（ステップＳ３／Ｙｅｓ）、制御部１４の機能判定手段は、ソフトウェアの機能がＡＶＣかＢＤの何れであるかを判定する（ステップＳ５）。
【００３３】
制御部１４の機能判定手段は、ソフトウェアの機能がＳＤ版であると判定した場合（ステップＳ５／ＳＤ版）はＤＶＤ−Ｖｉｄｅｏ作成モードで起動し（ステップＳ８）、ソフトウェアの機能がＡＶＣ版であると判定した場合（ステップＳ５／ＡＶＣ版）はＡＶＣＨＤ作成モードで起動し（ステップＳ７）、ソフトウェアの機能がＢＤ版であると判定した場合（ステップＳ５／ＢＤ版）はＢｌｕ‐ｒａｙ  Ｄｉｓｃ作成モードで起動する（ステップＳ６）。
【００３４】
制御部１４のＨＤ画質判定手段は、ビデオカメラの種類がＡＶＣＨＤ／ＢＤ形式であると判定した場合（ステップＳ９／Ｙｅｓ）、制御部１４の機能判定手段は、ソフトウェアの機能がＳＤ版、ＡＶＣ版かＢＤ版の何れであるかを判定する（ステップＳ１０）。
制御部１４の機能判定手段は、ソフトウェアの機能がＳＤ版であると判定した場合（ステップＳ１０／ＳＤ版）はメニュー非表示とする（ステップＳ４）、ソフトウェアの機能がＡＶＣ版であると判定した場合（ステップＳ１０／ＡＶＣ版）はＡＶＣＨＤ作成モードで起動し（ステップＳ７）、ソフトウェアの機能がＢＤ版であると判定した場合（ステップＳ１０／ＢＤ版）はＢｌｕ‐ｒａｙ  Ｄｉｓｃ作成モードで起動する（ステップＳ６）。
【００３５】
制御部１４のＨＤ画質判定手段は、ビデオカメラの種類が。ＭＰＥＧ２  ＨＤ画質形式もしくはＡＶＣＨＤ／ＢＤ形式でないと判定した場合（ステップＳ３／Ｎｏ）、メニュー非表示とする。
ここで、「メニュー非表示」とは「ソフトウェアを起動するためのメニュー画面のうちの該当する機能に遷移するボタンを非表示とすること」を意味する（ステップＳ４）。
【００３６】
図３は、図１に示した映像データ記録装置の起動時に表示部に表示されるムービーフォトメニュー画面の説明図であり、図４は、図３に示したメニュー画面のうちの「ビデオをディスクに直接書き込む」のアイコンをクリックしたときに表示される画面の拡大図である。
図３の左上が起動時のメニュー画面であり、ソースが写真かビデオかその他かを示している。１）ムービーフォトメニューでアイコン「ビデオをディスクに直接書き込む」を選ぶと、図３の右上の画面及び図４に示すように、ビデオカメラ（ＨＤＤ／メモリーなど）の画面が表示され、２）ムービーフォトメニューがビデオカメラと、ＣＤＳのＳＫＵを判断してそれぞれのフォーマット形式で「Ｄｉｒｅｃｔ  Ｔｏ  Ｄｉｓｃ（＝ビデオをディスクに直接書き込む機能）」を起動する。
３）その際に、接続されたカメラ、ソフトウェアの機能により最適なディスク形式（ＡＶＣＨＤ  ＤＶＤ、ＤＶＤ−Ｖｉｄｅｏ  ＤＶＤ、もしくはＢＤＭＶ  ＢＤ）を選択する。
尚、図３の右下のウィンドウは説明上記載したものであり、ユーザーには見えない。
【００３７】
＜プログラム＞
以上で説明した本発明にかかる映像データ記録装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００３８】
例えば、
接続されたデバイスの映像データを記録媒体に記録する映像データ記録装置のコンピュータに、
判定手段が、前記撮影手段のフォルダの構造及びファイルの形式を判定する手順、
選択手段が、前記判定手段の判定結果に基づいて記録媒体への書き込み形式を選択する手順、
起動手段が、選択された状態で書き込み用のソフトウェアを起動する手順、
を実行させるプログラムが挙げられる。
【００３９】
これにより、プログラムが実行可能なコンピュータ環境さえあれば、どこにおいても本発明にかかる装置を実現することができる。
【００４０】
＜記憶媒体＞
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）などのコンピュータで読み取り可能な記憶媒体、フラッシュメモリ、ＲＡＭ（Random Access Memory）、ＲＯＭ、ＦｅＲＡＭ（強誘電体メモリ）等の半導体メモリやＨＤＤが挙げられる。
【００４１】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００４２】
１０    映像データ記録装置
１１    デバイス接続検出部
１２    ビデオカメラ判定部
１３    ソフトウェア機能判定部
１４    制御部
１５    表示部
１６    エンコーダー・トランスコーダー
１７    ビデオディスク書き込み部
１８    光学ディスクドライブ
１９    一時記憶部
２０    入力部
【図１】
2012075022.tif 000005
【図２】
2012075022.tif 000006
【図３】
2012075022.tif 000007
【図４】
2012075022.tif 000008